(57)【要約】【課題】壁面の平面的な意匠を保持することが可能な、壁埋め込み式支持部材を提供する。【解決手段】壁板２へ埋め込まれて壁板２と共に壁紙４が貼り付けられる本体部１０と、本体部１０に支持されて壁板２の壁紙４が貼り付けられる面である内壁面２ｉｎから突出する突出部２０を備え、本体部１０の壁紙４が貼り付けられる面である室内面１０ｉｎは、内壁面２ｉｎと面一である壁埋め込み式支持部材１。【選択図】図１
2019083836.tif 000002
【特許請求の範囲】
【請求項１】
壁板へ埋め込まれて前記壁板と共に壁紙が貼り付けられる本体部と、
前記本体部に支持されて前記壁板の前記壁紙が貼り付けられる面である内壁面から突出する突出部と、を備え、
前記本体部の前記壁紙が貼り付けられる面である室内面は、前記内壁面と面一であることを特徴とする壁埋め込み式支持部材。
【請求項２】
前記本体部と前記突出部が一体であることを特徴とする請求項１に記載した壁埋め込み式支持部材。
【請求項３】
前記本体部と前記突出部が別体であり、
前記本体部は、前記突出部を支持する支持部を備えることを特徴とする請求項１に記載した壁埋め込み式支持部材。
【請求項４】
前記突出部は、前記室内面から突出する板状の部材であることを特徴とする請求項１から請求項３のうちいずれか１項に記載した壁埋め込み式支持部材。
【請求項５】
前記突出部は、前記室内面から突出する棒状の部材であることを特徴とする請求項１から請求項３のうちいずれか１項に記載した壁埋め込み式支持部材。
【請求項６】
前記本体部は、前記室内面に開口した凹部である収容部を備え、
前記収容部を閉塞し、且つ前記壁紙で覆われる蓋部材をさらに備え、
前記蓋部材の前記壁紙で覆われる面である被覆面は、前記内壁面及び前記室内面と面一であることを特徴とする請求項１から請求項５のうちいずれか１項に記載した壁埋め込み式支持部材。
【請求項７】
前記本体部は、前記室内面から突出して室内面に沿った方向で前記壁紙と対向する段差部をさらに備えることを特徴とする請求項１から請求項６のうちいずれか１項に記載した壁埋め込み式支持部材。
【請求項８】
前記段差部の前記室内面と平行な面は、前記壁紙と面一であることを特徴とする請求項７に記載した壁埋め込み式支持部材。
【発明の詳細な説明】
【技術分野】
【０００１】
本発明は、ハンガー掛けや棚等として用いる壁埋め込み式支持部材に関する。
【背景技術】
【０００２】
室内の壁面にハンガー掛け等の支持部材を設置する技術として、例えば、特許文献１に開示されている技術がある。特許文献１に開示されている技術では、部屋の壁面に取り付けられたハンガーレールが、下側に設けられた金具挿入開口を介して、吊り下げ具や取り付けロッドが差し込まれる内部空間を有している。
【先行技術文献】
【特許文献】
【０００３】
【特許文献１】特開平０９−１９３４８号公報
【発明の概要】
【発明が解決しようとする課題】
【０００４】
しかしながら、特許文献１に開示されている技術では、ハンガーレールを壁面に後付けして取り付けるため、壁面からも吊り下げ具や取り付けロッドを支持する部分が突出することとなって強調され、壁面の平面的な意匠を損なうという問題があった。
本発明は、上記事情に鑑みてなされたものであり、壁面の平面的な意匠を保持することが可能な、壁埋め込み式支持部材を提供することを目的とする。
【課題を解決するための手段】
【０００５】
上記課題を解決するために、本発明の一態様は、壁板へ埋め込まれて前記壁板と共に壁紙が貼り付けられる本体部と、前記本体部に支持されて前記壁板の前記壁紙が貼り付けられる面である内壁面から突出する突出部と、を備える壁埋め込み式支持部材である。壁埋め込み式支持部材は、前記本体部の前記壁紙が貼り付けられる面である室内面は、前記内壁面と面一であることを特徴とする。
【発明の効果】
【０００６】
本発明の一態様によれば、内壁面から突出する突出部を支持する本体部が壁板へ埋め込まれているため、壁面から突出する部分が突出部のみとなり、壁面の平面的な意匠を保持することが可能な、壁埋め込み式支持部材を提供することが可能となる。
【図面の簡単な説明】
【０００７】
【図１】本発明の第一実施形態における壁埋め込み式支持部材の構成を表す断面図である。
【図２】図１のＩＩ−ＩＩ線断面図である。
【図３】本発明の第二実施形態における壁埋め込み式支持部材の構成を表す断面図である。
【発明を実施するための形態】
【０００８】
図面を参照して、本発明の実施形態を以下において説明する。以下の説明で参照する図面の記載において、同一又は類似の部分には、同一又は類似の符号を付している。ただし、図面は模式的なものであり、厚さと平面寸法との関係や、各層の厚さの比率等は、現実のものとは異なることに留意すべきである。したがって、具体的な厚さや寸法は、以下の説明を参酌して判断すべきものである。また、図面相互間においても、互いの寸法の関係や比率が異なる部分が含まれていることは勿論である。
【０００９】
さらに、以下に示す実施形態は、本発明の技術的思想を具体化するための構成を例示するものであって、本発明の技術的思想は、構成部品の材質や、それらの形状、構造、配置等を下記のものに特定するものでない。本発明の技術的思想は、特許請求の範囲に記載された請求項が規定する技術的範囲内において、種々の変更を加えることが可能である。また、以下の説明における「左右」や「上下」の方向は、単に説明の便宜上の定義であって、本発明の技術的思想を限定するものではない。よって、例えば、紙面を９０度回転すれば「左右」と「上下」とは交換して読まれ、紙面を１８０度回転すれば「左」が「右」になり、「右」が「左」になることは勿論である。
【００１０】
（第一実施形態）
以下、本発明の第一実施形態について、図面を参照しつつ説明する。
（壁埋め込み式支持部材）
図１及び図２を参照して、第一実施形態の壁埋め込み式支持部材１の構成について説明する。
壁埋め込み式支持部材１は、図１中に表すように、本体部１０と、突出部２０と、蓋部材３０を備える。
【００１１】
（本体部）
本体部１０は、例えば、アルミ等を材料として、中空部分を有する平板状に形成されており、壁板２の内部へ埋め込まれる。
また、本体部１０は、壁板２と共に壁紙４が貼り付けられる。
壁板２は、例えば、石膏ボード等を用いて形成されており、壁紙４が貼り付けられる面である内壁面２ｉｎと、支柱６と対向する面である外壁面２ｏｕｔを備える。
本体部１０の壁紙４が貼り付けられる面である室内面１０ｉｎは、内壁面２ｉｎと面一である。すなわち、室内面１０ｉｎと内壁面２ｉｎには、段差が形成されていない。
また、本体部１０は、段差部１２と、収容部１４を備える。
段差部１２は、室内面１０ｉｎから突出しており、室内面１０ｉｎに沿った方向（図１中では、上下方向）で壁紙４と対向する。
段差部１２の室内面１０ｉｎと平行な面は、壁紙４と面一である。したがって、段差部１２の室内面１０ｉｎからの突出量は、壁紙４の厚さと近似、又は、壁紙４の厚さ以上である。
【００１２】
収容部１４は、室内面１０ｉｎに開口した凹部である。
第一実施形態では、本体部１０が、段差部１２を間に挟んで形成した二箇所の収容部１４を備える場合について説明する。なお、図中及び以降の説明では、二箇所の収容部１４のうち段差部１２よりも上方に形成した収容部１４を、「収容部１４ｕ」と記載する場合がある。同様に、図中及び以降の説明では、二箇所の収容部１４のうち段差部１２よりも下方に形成した収容部１４を、「収容部１４ｄ」と記載する場合がある。
収容部１４の内部には、固定部材８の一部を収容する。
固定部材８は、例えば、ビスであり、収容部１４の底面を貫通させたねじ部を支柱６に捻じ込むことで、支柱６に本体部１０を固定する部材である。
第一実施形態では、収容部１４の内部に収容する固定部材８の一部を、ビスの頭部とする。
【００１３】
（突出部）
突出部２０は、本体部１０に支持されて内壁面２ｉｎから突出する。
第一実施形態では、図２中に示すように、突出部２０が、室内面１０ｉｎから突出する板状の部材である場合について説明する。
突出部２０の基端部２０ｂは、室内面１０ｉｎと一体に成形されている。したがって、第一実施形態では、本体部１０と突出部２０が一体である場合について説明する。
突出部２０の先端部２０ｐは、上方へ向けて湾曲している。
【００１４】
（蓋部材）
蓋部材３０は、例えば、樹脂材料を用いて形成されており、収容部１４を閉塞する部材である。
また、蓋部材３０は、収容部１４を閉塞した状態で、壁紙４で覆われる。
蓋部材３０のうち、壁紙４で覆われる面である被覆面３０ｃは、内壁面２ｉｎ及び室内面１０ｉｎと面一である。すなわち、室内面１０ｉｎと、内壁面２ｉｎと、被覆面３０ｃには、段差が形成されていない。
【００１５】
（設置方法）
以下、図１及び図２を参照して、第一実施形態の壁埋め込み式支持部材１を設置する方法（設置方法）を説明する。なお、以降の説明は、壁板２に本体部１０を埋め込むことが可能な空隙部が形成されているとともに、支柱６に壁板２が取り付けられている状態を前提として記載する。
まず、壁板２に形成されている空隙部へ、室内面１０ｉｎと内壁面２ｉｎとが面一となるように、本体部１０を埋め込む。
次に、固定部材８のねじ部を収容部１４の底面に貫通させ、さらに、支柱６に捻じ込む。
そして、収容部１４の内部に固定部材８の一部（ビスの頭部）を収容した状態で、被覆面３０ｃと、内壁面２ｉｎ及び室内面１０ｉｎが面一となるように、蓋部材３０によって収容部１４を閉塞する。
【００１６】
さらに、壁紙４を、内壁面２ｉｎ及び室内面１０ｉｎに貼り付ける。なお、壁紙４は、内壁面２ｉｎ及び室内面１０ｉｎに加え、被覆面３０ｃに貼り付けてもよい。
壁紙４を内壁面２ｉｎ及び室内面１０ｉｎに貼り付ける際に、例えば、壁紙４の一部が突出部２０や段差部１２と重なった場合は、段差部１２の位置でカッター等を用いて壁紙４を切除する。これにより、壁紙４を段差部１２に沿って室内面１０ｉｎに貼り付けることが容易となる。
なお、上述した第一実施形態は、本発明の一例であり、本発明は、上述した第一実施形態に限定されることはなく、この実施形態以外の形態であっても、本発明に係る技術的思想を逸脱しない範囲であれば、設計等に応じて種々の変更が可能である。
【００１７】
（第一実施形態の効果）
第一実施形態の壁埋め込み式支持部材１であれば、以下に記載する効果を奏することが可能となる。
（１）壁板２へ埋め込まれて壁板２と共に壁紙４が貼り付けられる本体部１０と、本体部１０に支持されて内壁面２ｉｎから突出する突出部２０を備え、室内面１０ｉｎが内壁面２ｉｎと面一である。
このため、壁板２へ埋め込まれている本体部１０により、内壁面２ｉｎから突出する突出部２０を支持することが可能となり、壁面から突出する部分が、突出部２０のみとなる。
その結果、壁面の平面的な意匠を保持することが可能な、壁埋め込み式支持部材１を提供することが可能となる。
【００１８】
（２）本体部１０と突出部２０が一体である。
その結果、壁埋め込み式支持部材１の強度を向上させることが可能となる。
（３）突出部２０が、室内面１０ｉｎから突出する板状の部材である。
その結果、例えば、建築物の構造や支持する対象物等に応じて、突出部２０の長さを変化させることが可能となる。
（４）本体部１０が、室内面１０ｉｎに開口した凹部である収容部１４を備える。これに加え、壁埋め込み式支持部材１が、収容部１４を閉塞し、且つ壁紙４で覆われる蓋部材３０をさらに備える。さらに、蓋部材３０の壁紙４で覆われる面である被覆面３０ｃは、内壁面２ｉｎ及び室内面１０ｉｎと面一である。
その結果、ビス等の固定部材８を用いて、本体部１０を支柱６等へ取り付けた場合であっても、壁紙４を貼りつける面が面一となり、壁面の平面的な意匠を保持することが可能となる。
【００１９】
（５）本体部１０が、室内面１０ｉｎから突出して室内面１０ｉｎに沿った方向で壁紙４と対向する段差部１２をさらに備える。
その結果、壁紙４を内壁面２ｉｎ及び室内面１０ｉｎに貼り付ける際に、壁紙４の一部が突出部２０や段差部１２と重なった場合であっても、壁紙４を段差部１２に沿って室内面１０ｉｎに貼り付けることが容易となる。これにより、壁紙４の施工性を向上させることが可能となる。
（６）段差部１２の室内面１０ｉｎと平行な面は、壁紙４と面一である。
その結果、壁面の平面的な意匠を保持することが可能となる。
【００２０】
（変形例）
（１）第一実施形態では、突出部２０を、室内面１０ｉｎから突出する板状の部材としたが、これに限定するものではなく、突出部２０を、室内面１０ｉｎから突出する棒状の部材としてもよい。
この場合、例えば、ハンガーや帽子、袋等が有するループ状の部分を掛ける支持部材として、壁埋め込み式支持部材１を適用することが可能となる。
（２）第一実施形態では、ビス等の固定部材８を用いて、本体部１０を支柱６等へ取り付けたが、これに限定するものではなく、例えば、接着等の手段を用いて、本体部１０を支柱６等へ取り付けてもよい。
（３）第一実施形態では、収容部１４の内部に、固定部材８の一部を収容したが、これに限定するものではなく、例えば、接着等の手段を用いて本体部１０を支柱６等へ取り付けた場合には、収容部１４の内部に、配線等を収容してもよい。
【００２１】
（第二実施形態）
以下、本発明の第二実施形態について、図面を参照しつつ説明する。
（壁埋め込み式支持部材）
図１及び図２を参照しつつ、図３を用いて、第二実施形態の壁埋め込み式支持部材１の構成について説明する。なお、第一実施形態と同様の構成については、説明を省略する場合がある。
壁埋め込み式支持部材１は、図３中に表すように、本体部１０と、突出部２０と、蓋部材３０を備える。なお、蓋部材３０の構成は、第一実施形態と同様であるため、説明は省略する。
【００２２】
（本体部）
本体部１０は、本体部は、支持部４０と、段差部１２と、収容部１４を備える。
支持部４０は、差し込み部５０と、抜け止め部６０を備える。
差し込み部５０は、二箇所の収容部１４（収容部１４ｕ、収容部１４ｄ）の間において、室内面１０ｉｎに開口した凹部である。
差し込み部５０の内壁面のうち、収容部１４ｕに近い面である上側内壁面２ｉｎｕと、収容部１４ｄに近い面である下側内壁面２ｉｎｄは、差し込み部５０の開口部５２から離れるにつれて上方へ傾斜している。これにより、差し込み部５０の底面５４は、差し込み部５０の開口部５２よりも、収容部１４ｕに近い側へ配置されている。したがって、差し込み部５０は、内壁面が、室内面１０ｉｎから離れるにつれて上方へ傾斜する凹部である。
抜け止め部６０は、下側内壁面２ｉｎｄと連続して開口部５２よりも底面５４から離れた位置に形成されており、室内面１０ｉｎに沿った方向で収容部１４ｕへ向けて突出している。
【００２３】
段差部１２は、図３中に示すように、室内面１０ｉｎから突出しており、室内面１０ｉｎに沿った方向（図３中では、上下方向）で壁紙４と対向する。
第二実施形態では、段差部１２が、差し込み部５０の開口部５２を間に挟んで形成した二箇所形成されている場合について説明する。なお、図中及び以降の説明では、二箇所の段差部１２のうち開口部５２よりも上方に形成した段差部１２を、「段差部１２ｕ」と記載する場合がある。同様に、図中及び以降の説明では、二箇所の段差部１２のうち開口部５２よりも下方に形成した段差部１２を、「段差部１２ｄ」と記載する場合がある。
段差部１２の室内面１０ｉｎと平行な面は、壁紙４と面一である。したがって、段差部１２の室内面１０ｉｎからの突出量は、壁紙４の厚さと近似、又は、壁紙４の厚さ以上である。
段差部１２ｄと抜け止め部６０は、室内面１０ｉｎに沿った方向で連続している。
【００２４】
（突出部）
突出部２０は、本体部１０に支持されて内壁面２ｉｎから突出する。
第二実施形態では、第一実施形態と同様、突出部２０が、室内面１０ｉｎから突出する板状の部材である場合について説明する（図２を参照）。また、第二実施形態では、本体部１０と突出部２０が別体である場合について説明する。
本体部１０と別体である突出部２０は、図３中に示すように、挿入部２２と、ハンガー部２４と、嵌合溝部２６を備える。
挿入部２２は、突出部２０の基端側を形成しており、差し込み部５０の内部へ挿入可能な形状に形成されている。すなわち、挿入部２２は、開口部５２を通過可能であるとともに、ハンガー部２４から離れるにつれて差し込み部５０の内壁面に対応する方向（上方）へ傾斜する形状に形成されている。
【００２５】
ハンガー部２４は、突出部２０の先端側を形成しており、挿入部２２と連続する平板状の部分と、上方へ向けて湾曲している部分を備えている。
嵌合溝部２６は、挿入部２２のハンガー部２４と連続する位置において、挿入部２２が傾斜する方向と反対側の面（下面）に形成された、断面が凹部形状の溝である。
嵌合溝部２６を形成する位置は、挿入部２２を差し込み部５０の内部へ挿入した状態で、抜け止め部６０と上下方向で重なる位置である。
また、嵌合溝部２６は、抜け止め部６０を内部へ配置可能な形状に形成する。
したがって、挿入部２２を差し込み部５０の内部へ挿入し、さらに、抜け止め部６０を嵌合溝部２６の内部へ配置することで、本体部１０が備える支持部４０は、突出部２０を支持する。
【００２６】
（設置方法）
以下、図１から図３を参照して、第二実施形態の壁埋め込み式支持部材１を設置する方法（設置方法）を説明する。なお、以降の説明は、壁板２に本体部１０を埋め込むことが可能な空隙部が形成されているとともに、支柱６に壁板２が取り付けられている状態を前提として記載する。
まず、壁板２に形成されている空隙部へ、室内面１０ｉｎと内壁面２ｉｎとが面一となるように、本体部１０を埋め込む。
次に、固定部材８のねじ部を収容部１４の底面に貫通させ、さらに、支柱６に捻じ込む。
そして、収容部１４の内部に固定部材８の一部を収容した状態で、被覆面３０ｃと、内壁面２ｉｎ及び室内面１０ｉｎが面一となるように、蓋部材３０によって収容部１４を閉塞する。
【００２７】
その後、挿入部２２を差し込み部５０の内部へ挿入し、さらに、抜け止め部６０を嵌合溝部２６の内部へ配置することで、支持部４０により突出部２０を支持する。
さらに、壁紙４を、内壁面２ｉｎ及び室内面１０ｉｎに貼り付ける。なお、壁紙４は、内壁面２ｉｎ及び室内面１０ｉｎに加え、被覆面３０ｃに貼り付けてもよい。
壁紙４を内壁面２ｉｎ及び室内面１０ｉｎに貼り付ける際に、例えば、壁紙４の一部が段差部１２と重なった場合は、段差部１２の位置でカッター等を用いて壁紙４を切除する。これにより、壁紙４を段差部１２に沿って室内面１０ｉｎに貼り付けることが容易となる。
なお、上述した第二実施形態は、本発明の一例であり、本発明は、上述した第二実施形態に限定されることはなく、この実施形態以外の形態であっても、本発明に係る技術的思想を逸脱しない範囲であれば、設計等に応じて種々の変更が可能である。
【００２８】
（第二実施形態の効果）
第二実施形態の壁埋め込み式支持部材１であれば、以下に記載する効果を奏することが可能となる。
（１）本体部１０と突出部２０が別体である。これに加え、本体部１０が、突出部２０を支持する支持部４０を備える。
その結果、壁埋め込み式支持部材１の施工現場へ材料を搬送する際に、板状に形成された本体部１０及び突出部２０を搬送することが可能となるため、搬送効率の低下を抑制することが可能となる。
また、例えば、建築物の構造や支持する対象物等に応じて、形状の異なる突出部２０を選択して用いることが可能となる。
【産業上の利用可能性】
【００２９】
本発明の壁埋め込み式支持部材１は、服等を掛けるハンガーを支持するハンガー掛け、本やＣＤ等を載せる棚としての利用が可能である。
【符号の説明】
【００３０】
１…壁埋め込み式支持部材、２…壁板、２ｉｎ…内壁面、２ｏｕｔ…外壁面、４…壁紙、６…支柱、８…固定部材、１０…本体部、１０ｉｎ…室内面、１２…段差部、１４…収容部、２０…突出部、２０ｂ…突出部２０の基端部、２０ｐ…突出部２０の先端部、２２…挿入部、２４…ハンガー部、２６…嵌合溝部、３０…蓋部材、３０ｃ…被覆面、４０…支持部、５０…差し込み部、５２…差し込み部５０の開口部、５４…差し込み部５０の底面、６０…抜け止め部
【図１】
2019083836.tif 000003
【図２】
2019083836.tif 000004
【図３】
2019083836.tif 000005